(57)【要約】【課題】  顎ひも使用時でも装飾体としてのデザイン性を保持したまま、頭部装着体をしっかりと頭部に固定する頭部装着体押さえ具を提供する。【解決手段】  顎ひも使用時、二重がさねで帽子に装着された内輪バンド１２と外輪バンド１３とのうち、内輪バンド１２の前側部を、その両対向部を中心にして下方に弾性力に抗して引き伸ばし、使用者の顎に引っかける。その際、外輪バンド１３は帽子１１の鍔付近に残される。これにより、顎ひも使用時でも、装飾体としての頭部装着体押さえ具１０のデザイン性を保持したまま、帽子１１をしっかりと頭部に固定することができる。【選択図】図１
0003104663.tif 000002
【実用新案登録請求の範囲】
【請求項１】
使用者の頭部に装着される頭部装着体を、それぞれ外方から弾性的に二重がさね状態で頭部に押し付け可能な内輪バンドと外輪バンドとを備え、
前記内輪バンドの周方向のうち、互いに向かい合う１対の対向部と、前記外輪バンドのうち、互いに向かい合う１対の対向部とを、それぞれ対応するもの同士で連結した頭部装着体押さえ具。
【請求項２】
前記外輪バンドの対向部の外側には、装飾体が配置された請求項１に記載の頭部装着体押さえ具。
【請求項３】
前記内輪バンドの対向部と、これに対応する外輪バンドの対向部との間には、両バンドの連結位置を外輪バンドの周方向に変更する連結位置調整手段が設けられた請求項１または請求項２に記載の頭部装着体押さえ具。
【請求項４】
使用者の頭部に装着される頭部装着体を外方から弾性的に頭部に押し付け可能な外袋バンドと、該外袋バンドと略同じ長さでかつ該外袋バンドに出し入れ自在に収納された弾性を有する内部バンドとを備え、
前記外袋バンドのうち、互いに向かい合う１対の対向部と、前記内部バンドのうち、互いに向かい合う１対の対向部とが、それぞれ対応するもの同士で連結され、
前記外袋バンドと内側バンドとは、連結された１対の対向部同士を結ぶ仮想線を仕切り線として一側部と他側部とに分かれ、
前記外袋バンドの一側部の内周側およびまたは他側部の内周側には、略全長にわたって内側バンドの出し入れ口が形成された頭部装着体押さえ具。
【考案の詳細な説明】
【技術分野】
【０００１】
この考案は頭部装着体押さえ具、詳しくは帽子などの頭部装着体に対して、顎ひもの使用時でも、装飾体としてのデザイン性を保持したまま、頭部装着体をしっかりと頭部に固定することが可能な頭部装着体押さえ具に関する。
【背景技術】
【０００２】
強風時や激しい運動をしたときなどには、帽子が頭部から吹き飛ばされ易い。そこで、従前より顎ひも付きの帽子が存在する。顎ひもを使用しない通常時、顎ひもは帽子のデザイン性を高める装飾体の１つとして、帽子の鍔の元部に沿って横架されている。使用時には、顎ひもを伸ばし、これを両端部を中心にして垂直面内で下方に回動し、顎に引っかける。
しかしながら、顎ひもの使用時には、顎ひもが鍔付近から顎下に移動することで、帽子のデザイン性が低下していた。
【０００３】
そこで、これを解消するものとして、例えば特許文献１の帽子などが知られている。これは、帽子の側部に顎ひもを収納するポケットを設け、デザイン（設計）時から顎ひもを帽子の装飾体として利用しないことで、使用中の帽子のデザイン性の低下を防止したものである。
すなわち、通常時には顎ひもをポケットに収納し、強風時などにポケットから顎ひもを取り出し、これを顎下に架け渡して使用する。
【特許文献１】実開昭６３−３９１２７号公報
【考案の開示】
【考案が解決しようとする課題】
【０００４】
前記特許文献１の帽子は、このようにデザイン時から顎ひもを装飾体として利用しないことにより、使用中の帽子のデザイン性の低下を防止していた。
しかしながら、ポケットを帽子の側部に設けると、顎ひもの収納時にポケットが膨れ、帽子の外観が歪になり、帽子のデザイン性が低下していた。また、顎ひもはそれを鍔に沿って帽子の前面のデザインを多様化する有効なアイテムの一つであり、捨てがたいものがあった。
また、帽子は、その両側部に架け渡されただけの顎ひもにより、顎に固定されていた。そのため、帽子を顎に引き付ける力は大きいが、帽子を頭部に圧着させる力は弱い。これにより、強風時には帽子が頭部から外れ易かった。
【０００５】
この考案は、顎ひも使用時でも装飾体としてのデザイン性を保持したまま、頭部装着体をしっかりと頭部に固定することができる頭部装着体押さえ具を提供することを目的としている。
【課題を解決するための手段】
【０００６】
請求項１に記載の考案は、使用者の頭部に装着される頭部装着体を、それぞれ外方から弾性的に二重がさね状態で頭部に押し付け可能な内輪バンドと外輪バンドとを備え、前記内輪バンドの周方向のうち、互いに向かい合う１対の対向部と、前記外輪バンドのうち、互いに向かい合う１対の対向部とを、それぞれ対応するもの同士で連結した頭部装着体押さえ具である。
【０００７】
請求項１に記載の考案によれば、通常時（顎ひも不使用時）、二重がさねされた内輪バンドと外輪バンドとを、例えば頭部装着体として帽子を採用した場合、帽子の被り口付近で飾りテープに似せて装着する。このとき、両バンドの連結された１対の対向部は帽子の左右両側に配置する。
顎ひも使用時には、両バンドの一方（好ましくは内輪バンド）の前側部およびまたは後側部を握り、これを、離間した両対向部（連結部）を中心にしてその弾性力に抗して引き下げ、顎（後側部の場合には後側の髪でもよい）に引っかける。その際、他方のバンドは帽子の被り口付近に残される。その後、顎下のバンドは、その弾性力により顎にしっかりと固定される。これにより、顎ひも使用時でも装飾体としてのデザイン性を保持したまま、頭部装着体をしっかりと頭部に固定することができる。
【０００８】
頭部装着体の種類は限定されない。例えば湾曲自在な帽子、フード、スカーフなどの他、剛性が高いヘルメットなどを採用することができる。ただし、この発明は湾曲自在な帽子やフードなどに適している。顎ひも使用時でも頭部装飾体の外周に一方のバンドが残り、頭部装飾体を頭部にしっかりと固定できるためである。
通常時において、頭部装着体上での頭部装着体押さえ具の配置位置は限定されない。例えば、帽子の場合、その被り口付近の周りであってもよい。
内輪バンドと外輪バンドとは環状の弾性体である。その素材としては、例えば天然ゴム、各種の合成ゴム（ブチルゴム、クロロプレンゴム、スチレンブタジエンゴムなど）などを採用することができる。また、各種のプラスチックばね、各種の金属ばねでもよい。ただし、ゴムの方が安価で、帽子装着時に帽子を傷め難くい。バンド全体を弾性体としてもよいし、バンドの一部だけを弾性体としてもよい。例えば、織布にゴム糸を織り込んだものでもよい。また、内輪バンドと外輪バンドとの素材を異ならせてもよい。
【０００９】
両バンドの形状は、環状（無端状）であれば限定されない。
両バンドの長さ（直径）および幅は、同じでもよいし、異なってもよい。ただし、何れの場合でも頭部装着体を頭部に押さえ付けることができなければならない。
両バンドが連結されるのは、基本的に、両バンドの対応する対向部同士だけである。ただし、両対向部を頭部の左右側に配置したとき、両バンドの前側部または後側部は連結しても構わない。すなわち、連結されずに残ったバンドの前側部または後側部を顎ひもとして使用できればよい。
両バンドの対応する対向部同士の連結方法は限定されない。例えば、縫着、係止部材（ボタン、ホック、面状ファスナなど）による係止、接着剤による接着、両バンドを合成樹脂製とした場合の融着などを採用することができる。両バンドの対向部は、離反できないように連結してもよいし、着脱自在に連結してもよい。
【００１０】
請求項２に記載の考案は、前記外輪バンドの対向部の外側には、装飾体が配置された請求項１に記載の頭部装着体押さえ具である。
【００１１】
請求項２に記載の考案によれば、外輪バンドの対向部の外側に装飾体を設けたので、頭部装着体押さえ具のデザイン性をより高めることができる。
装飾体としては、例えばボタン、花（生花、造花）、羽根、宝石などを採用することができる。
装飾体は、外輪バンドに固定してもよいし、内輪バンドに固定してもよい。内輪バンドへの固定方法を採用した場合には、例えば外輪バンドに挿通孔を形成し、これを通して外輪バンドの外側に配置してもよい。また、外輪バンドの幅方向の外輪から回り込むように、外輪バンドの外側に配置してもよい。
装飾体は、両方の対向部に設けてもよいし、一方の対向部だけに設けてもよい。
【００１２】
請求項３に記載の考案は、前記内輪バンドの対向部と、これに対応する外輪バンドの対向部との間には、両バンドの連結位置を外輪バンドの周方向に変更する連結位置調整手段が設けられた請求項１または請求項２に記載の頭部装着体押さえ具である。
【００１３】
請求項３に記載の考案によれば、連結位置調整手段により、両バンドの連結位置を、外輪バンドの周方向に変更することで、使用者の顎下までの距離に応じて顎ひもの長さを調整することができる。
【００１４】
連結位置調整手段としては、例えば、両バンドの対向部において、対応するバンドの周方向に配置された複数の係止部材（例えばボタン、ホック、面状ファスナ）などを採用することができる。
連結位置調整手段により長さ調整される箇所は、両バンドの連結される１対の対向部のうち、一方の対向部だけでもよいし、両方の対向部でもよい。
【００１５】
請求項４に記載の考案は、使用者の頭部に装着される頭部装着体を外方から弾性的に頭部に押し付け可能な外袋バンドと、該外袋バンドと略同じ長さでかつ該外袋バンドに出し入れ自在に収納された弾性を有する内部バンドとを備え、前記外袋バンドのうち、互いに向かい合う１対の対向部と、前記内部バンドのうち、互いに向かい合う１対の対向部とが、それぞれ対応するもの同士で連結され、前記外袋バンドと内部バンドとは、連結された１対の対向部同士を結ぶ仮想線を仕切り線として一側部と他側部とに分かれ、前記外袋バンドの一側部の内周側およびまたは他側部の内周側には、略全長にわたって内部バンドの出し入れ口が形成された頭部装着体押さえ具である。
【００１６】
請求項４に記載の考案によれば、外袋バンドの中に内部バンドが収納されているので、請求項１の頭部装着体押さえ具のように、通常時に両バンドがその幅方向に位置ずれして頭部装着体のデザイン性を若干低下させるというおそれがない。また、両バンドを１本のバンドとして取り扱うことができる。
顎ひも使用時には、出し入れ口を介して、内部バンドの一側部およびまたは他側部を外袋バンドからその弾性力に抗して引き出し、これを顎下に引っかける。これにより、顎ひもの使用には何ら支障はない。
【考案の効果】
【００１７】
請求項１に記載の考案によれば、頭部装着体を弾性的に二重がさね状態で頭部に押し付ける内輪バンドと外輪バンドとを有し、両バンドの両端部同士をそれぞれ連結したので、顎ひも使用時でも装飾体としてのデザイン性を保持したまま、頭部装着体をしっかりと頭部に固定することができる。
【００１８】
請求項３に記載の考案によれば、連結位置調整手段により、両バンドの連結位置を、外輪バンドの周方向に変更可能としたので、使用者の顎下までの距離に応じて顎ひもの長さを調整することができる。
【００１９】
請求項４に記載の考案によれば、外袋バンドに内部バンドを収納させるように構成したので、通常時に両バンドがその幅方向に位置ずれし、頭部装着体のデザイン性を若干低下させるおそれを解消することができる。
【考案を実施するための最良の形態】
【００２０】
以下、この考案の実施例を具体的に説明する。
【実施例１】
【００２１】
まず、図１〜図４を参照して、この考案の実施例１を説明する。
図１において、１０はこの考案の実施例１に係る頭部装着体押さえ具で、この頭部装着体押さえ具１０は、使用者の頭部に装着される帽子１１（頭部装着体）を、それぞれ外方から弾性的に二重がさね状態で頭部に押し付ける内輪バンド１２と外輪バンド１３とを備えている。
両バンド１２，１３は、織布にスチレンブタジエン製のゴム糸を織り込んだものである。両バンド１２，１３の幅は同じ２０ｍｍである。内輪バンド１２の外径は約１５０ｍｍ、外輪バンド１３の外径は約１４５ｍｍである。両バンド１２，１３の厚さは約２ｍｍである。
内輪バンド１２の周方向のうち、互いに向かい合う１対の対向部と、外輪バンド１３のうち、互いに向かい合う１対の対向部とは、それぞれ対応するもの同士で縫着（連結）されている。このとき、外輪バンド１３の両対向部（連結部）の外周面には、装飾用の大きなボタン（装飾体）１４がそれぞれ縫着されている。
【００２２】
次に、実施例１に係る頭部装着体押さえ具１０の使用方法を説明する。
図１および図２に示すように、通常時、二重がさねされた内輪バンド１２と外輪バンド１３とを、例えば帽子１１の鍔付近に、帽子１１に巻回される飾りテープのように装着する。このとき、両バンド１２，１３の互いに連結された１対の対向部は、帽子１１の左右両側に配置する。
図１、図３および図４に示すように、顎ひも使用時には、内輪バンド１２（ただし、外輪バンド１３でもよい）の前側部（顎ひも）を握り、これを離間した両対向部を中心にして弾性力に抗して引き下げ、顎に引っかける。その際、外輪バンド１３は帽子１１の鍔の元部周りに残される。その後、内輪バンド１２の前側部は、その弾性力により顎にしっかりと固定される。
【００２３】
このように、顎ひも使用時には、鍔周りに外輪バンド１３が残されたままとなるので、装飾体としての頭部装着体押さえ具１０のデザイン性を保持したまま、帽子１１をしっかりと頭部に固定することができる。
すなわち、従来品の場合には、帽子の両側部に顎ひもを架け渡しただけで、帽子を顎に引き付ける力は大きいが帽子を頭部に圧着させる力は弱かった。そのため、強風時には帽子が頭部から外れ易かった。これに比べて、頭部装着体押さえ具１０の場合には、顎ひも使用時でも鍔周りに外輪バンド１３が残される。これにより、帽子１１を顎に引き付ける力が大きいだけでなく、帽子１１を頭部に圧着させる力も大きい。
また、外輪バンド１３の両対向部の外側に大きなボタン１４をそれぞれ配置したので、頭部装着体押さえ具１０のデザイン性をより高めることができる。
【００２４】
次に、図５および図６を参照して、この考案の実施例２に係る頭部装着体押さえ具を説明する。
図５および図６に示すように、実施例２の頭部装着体押さえ具３０は、内輪バンド１２の対向部とこれに対応する外輪バンド１３の対向部とに、互いの連結位置を外輪バンド１３の周方向に変更する連結位置調整手段３１を設けたことを特徴としている。
【００２５】
連結位置調整手段３１は、主に、内輪バンド１２の両端部の外周面にそれぞれ縫着された１対のボタン１４と、外輪バンド１３の両端部一帯にあって、外輪バンド１３の周方向に一定ピッチで配置された３対のボタン孔３１ａ〜３１ｃとから構成されている。
３対のボタン孔３１ａ〜３１ｃは、中間に配置される１対のボタン孔がそれぞれ基準孔３１ａとなる。これより帽子１１の前側に配置される各ボタン孔が、顎ひもをそれぞれ長めに使用可能な前側孔３１ｂとなる。また、両基準孔３１ａより帽子１１の後側に配置される１対のボタン孔が、顎ひもをそれぞれ短めに使用可能な後側孔３１ｃとなる。
【００２６】
次に、この実施例２の頭部装着体押さえ具３０の使用方法を説明する。
図５および図６に示すように、使用者の頭部が大きく、顎ひも（内輪バンド１２の前側部）が短い場合には、内輪バンド１２の両ボタン１４を外輪バンド１３の基準孔３１ａから外し、前側孔３１ｂにそれぞれ通す。これにより、両バンド１２，１３の対向部から顎下までの長さが短くなり、一方の対向部から顎下を通って他方の対向部に達する仮想曲線の長さに比べて、顎ひもとして使用される内輪バンド１２の前側部の長さが相対的に長くなる。
また、使用者の頭部が小さく、顎ひもが長くて弛む場合には、内輪バンド１２の両ボタン１４を外輪バンド１３の基準孔３１ａから外し、後側孔３１ｃにそれぞれ通して掛止する。これにより、両バンド１２，１３の対向部から顎下までの長さが長くなり、一方の対向部から顎下を通って他方の対向部に達する仮想曲線の長さに比べて、内輪バンド１２の前側部の長さが相対的に短くなる。
【００２７】
このように、連結位置調整手段３１を使用し、使用者の顎下までの距離に応じて、顎ひもの長さを調整することができる。
その他の構成、作用および効果は、実施例１から推測可能な範囲であるので説明を省略する。
【００２８】
次に、図７および図８を参照して、この考案の実施例３に係る頭部装着体押さえ具を説明する。
図７および図８に示すように、実施例３の頭部装着体押さえ具５０は、使用される２本の弾性バンドが幅方向に位置ずれしない機能を有したことを特徴としている。
頭部装着体押さえ具５０は、使用者の頭部に装着される帽子１１を外方から弾性的に頭部に押さえ付ける外袋バンド５１と、外袋バンド５１と略同じ長さでかつ外袋バンド５１に出し入れ自在に収納された弾性を有する内部バンド５２とを備えている。
【００２９】
外袋バンド５１は無端形状の筒バンドで、内部バンド５２は無端形状の平バンドである。外袋バンド５１と内部バンド５２とは、何れも織布にゴム糸を織り込んだ布製である。
外袋バンド５１のうち、互いに向かい合う１対の対向部と、外袋バンド５１に収納された内部バンド５２のうち、互いに向かい合う１対の対向部とが、それぞれ対応するもの同士で連結されている。外袋バンド５１と内部バンド５２とは、連結された１対の対向部同士を結ぶ仮想線ａを仕切り線として前側部（一側部）と後側部（他側部）とに分かれている。また、外袋バンド５１の前側部の内周側には、その略全長にわたって内部バンド５２の出し入れ口５１ａが形成されている。
【００３０】
次に、この実施例３の頭部装着体押さえ具５０の使用方法を説明する。
図７に示すように、実施例１と同じように頭部装着体押さえ具５０を帽子１１に装着する。外袋バンド５１には、内部バンド５２が収納されている。そのため、実施例１の頭部装着体押さえ具１０の場合のように、通常時に両バンド５１，５２がその幅方向に位置ずれして帽子１１のデザイン性を若干低下させるというおそれがない。また、両バンド５１，５２を１本のバンドとして取り扱うことができる。
顎ひも使用時には、出し入れ口５１ａを通して、内部バンド５２の前側部（顎ひも）を外袋バンド５１から引っ張り出し、これを顎下まで弾性力に抗して引き下げ、顎に引っかける。よって、顎ひもの使用には何ら支障はない。
この実施例３の頭部装着体押さえ具５０を、実施例２の頭部装着体押さえ具３０に適用してもよい。すなわち、外袋バンド５１と内部バンド５２とを有するとともに、両バンド５１，５２の連結される各対向部に、互いの連結位置を外輪バンド１３の周方向に変更する連結位置調整手段３１を設けてもよい。これにより、実施例３の頭部装着体押さえ具５０に、実施例２の頭部装着体押さえ具３０の効果を付加することができる。
その他の構成、作用および効果は、実施例１から推測可能な範囲であるので説明を省略する。
【図面の簡単な説明】
【００３１】
【図１】この考案の実施例１に係る頭部装着体押さえ具の頭部装着体への装着状態を示す側方からの斜視図である。
【図２】この考案の実施例１に係る頭部装着体押さえ具の頭部装着体への装着状態を示す前方からの斜視図である。
【図３】この考案の実施例１に係る頭部装着体押さえ具の顎ひも使用状態を示す後方からの斜視図である。
【図４】この考案の実施例１に係る頭部装着体押さえ具の顎ひも使用状態を示す前方からの斜視図である。
【図５】この考案の実施例２に係る頭部装着体押さえ具の斜視図である。
【図６】この考案の実施例２に係る頭部装着体押さえ具の分解斜視図である。
【図７】この考案の実施例３に係る頭部装着体押さえ具の斜視図である。
【図８】この考案の実施例３に係る頭部装着体押さえ具の要部拡大断面図である。
【符号の説明】
【００３２】
１０，３０，５０  頭部装着体押さえ具、
１１  帽子（頭部装着体）、
１２  内輪バンド、
１３  外輪バンド、
１４  ボタン（装飾体）、
３１  連結位置調整手段、
５１  外袋バンド、
５１ａ  出し入れ口、
５２  内部バンド、
ａ  仮想線。
【図１】
0003104663.tif 000003
【図２】
0003104663.tif 000004
【図３】
0003104663.tif 000005
【図４】
0003104663.tif 000006
【図５】
0003104663.tif 000007
【図６】
0003104663.tif 000008
【図７】
0003104663.tif 000009
【図８】
0003104663.tif 000010